(57)【要約】【課題】  ビデオ信号出力から印刷出力までの装置システム固有のビーム間ジッタを効果的に補正するテストパターンを生成する。【解決手段】  ビームを検知して同期信号を出力するビームディテクタと、このビームディテクタからの同期信号を基準として、ビデオクロック信号の逓倍周波数のクロック信号を用いて、感光体上へ画像を生成する際のビデオクロック信号生成手段を備えた画像形成装置において、同期信号の入力タイミングに対するビデオクロック信号の出力タイミングを、主走査中及び副走査中の任意のタイミングでビデオクロック信号周期の１／Ｎ（Ｎは自然数）の時間の単位で任意に変更する出力タイミング変更手段を備え、同一ページの隣接領域に各ビームのビデオクロック信号の出力タイミングが異なる画像のテストパターンを印刷して、最適な画像テストパターンに対応するビデオクロック出力タイミングをフィードバックする。【選択図】  図１４
2008126566.tif 000002
【特許請求の範囲】
【請求項１】
画像データで変調した複数ビームを感光体上に主走査方向へ走査して潜像を形成し記録媒体へ画像を形成する画像形成装置において、感光体の走査開始側に設けられ前記複数ビームを検知して同期信号を出力するビームディテクタと、前記同期信号を基準として画像データを伝送するビデオクロック信号生成手段を備え、同期信号の入力タイミングに対するビデオクロック信号の出力タイミングをビデオクロック信号周期の１／Ｎ（Ｎは自然数）単位で変更する出力タイミング変更手段を設け、主走査方向及び副走査方向について前記感光体を複数の領域に分割し、分割された各領域毎に、任意のビームについて同期信号の入力タイミングに対するビデオクロック信号の出力タイミングを変更してテストパターンを形成するテストパターン形成手段を備えたことを特徴とする画像形成装置。
【請求項２】
主走査方向及び副走査方向において前記感光体を複数の領域に分割し、分割された各領域毎に同一構成のテストパターン画像を形成することを特徴とする請求項１記載の画像形成装置。
【請求項３】
印刷されたテストパターンによって決定されるビデオクロック信号の出力タイミングの最適値に合わせて、印刷時に同期信号の入力タイミングに対するビデオクロック信号の出力タイミングを調整するタイミング調整手段を備えたことを特徴とする請求項２の画像形成装置。
【請求項４】
画像データで変調した複数ビームを感光体上に主走査方向へ走査して潜像を形成し記録媒体へ画像を形成する画像形成装置において、感光体の走査開始側に設けられ前記複数ビームを検知して同期信号を出力するビームディテクタと、前記同期信号を基準として画像データを伝送するビデオクロック信号生成手段を備え、同期信号の入力タイミングに対するビデオクロック信号の出力タイミングをビデオクロック信号周期の１／Ｎ（Ｎは自然数）単位で変更する出力タイミング変更手段を有する画像形成装置の画像形成方法において、
主走査方向及び副走査方向において前記記録媒体を複数の領域に分割し、分割された各領域毎に、任意のビームについて同期信号の入力タイミングに対するビデオクロック信号の出力タイミングを変更してテストパターンを形成することを特徴とする画像形成方法。
【発明の詳細な説明】
【技術分野】
【０００１】
本発明は、複数ビームを用いて画像を形成する電子写真方式の画像形成装置に関する。
【背景技術】
【０００２】
電子写真方式のレーザプリンタ等に用いられる画像形成装置は、感光体ベルトや感光体ドラム上に画像データで変調したレーザを走査して感光体表面の帯電電圧を制御して潜像を形成し、トナーを付着させて紙などの出力媒体に転写することにより印刷を行う。このとき、感光体をレーザ走査方向である主走査方向と直交する副走査方向へ移動させることにより画像を形成している。
【０００３】
レーザプリンタの印刷速度を上げる場合は、感光体の副走査方向の移動速度を速くするとともに主走査方向のレーザ走査速度も速くする必要がある。その際、走査時のレーザのＯＮ／ＯＦＦを制御するビデオクロック周波数を高くする必要がある。ビデオクロック周波数の高速化は、感光体表面を走査する際の１画素当たりのエネルギー量の減少をもたらし限界があるため、１回の走査の際に用いるレーザを複数用いるマルチビーム方式を併用している。
【０００４】
レーザ走査は、レーザをポリゴンミラー等の走査手段により偏向させて感光体上を走査する。その際に、感光体よりも手前となる位置にビームディテクタを配置して画像を書き込みタイミングの同期信号を出力させ、同期信号に基づいてビデオクロック信号を生成しこれに同期して画像データの印刷信号を出力する。言い換えればビデオクロック信号生成タイミングは画素の書き出し位置を決定する。
【０００５】
一方、最終的に画像品質を決定するのは実際のレーザ発光タイミングであり、特に大型のレーザプリンタにおいて、ビデオ信号生成装置とレーザ発光装置間の物理的距離が長くなると、ビデオクロック信号の同期精度が確保されていても、信号経路の差などのシステム固有の要因により、感光体に対するレーザ発光タイミングがビーム間で変動してジッター（画像の揺らぎ）となる場合がある。ジッターの修正には印刷結果を目視等で確認し、印刷結果に応じてレーザ発光タイミングを調整する。
【０００６】
図１５にジッターが無い印刷結果の模式図を、図１６にビーム２に１／２ドットのジッターが発生した際の印刷結果の模式図を示す。
【０００７】
従来は、このような発光の不具合の有無等を確認するために、複数のビームをそれぞれ単一ビームのみ順次発光させ、そのパターンを併置した印刷結果を出力することにより目視確認する方法が知られている（例えば、特許文献１参照。）。
【０００８】
【特許文献１】特許３６５２０９３号公報
【発明の開示】
【発明が解決しようとする課題】
【０００９】
上記システムの画像形成装置において、各レーザに対してビデオクロック信号の出力タイミングをＮ通り変化させる場合、レーザの数をＭとすると、レーザの出力タイミングの設定種類はＮのＭ乗となり、Ｎを２、Ｍを４としても印刷条件は１６通りとなる。異なるタイミングによる印字パターンは、目視で比較する場合においても、または何らかの測定装置で測定を行う場合でもなるべく近い距離に配置することが望ましい。
【課題を解決するための手段】
【００１０】
本発明における画像形成装置は、複数のビームを感光体上に主走査方向へ走査して潜像を形成するとともに、ビーム主走査方向における感光体の走査開始側に、前記ビームを検知して同期信号を出力するビームディテクタと、このビームディテクタからの同期信号を基準として感光体上へ潜像を生成するビデオクロック信号生成手段を備え、同期信号の入力タイミングに対するビデオクロック信号の出力タイミングをビデオクロック信号周期の１／Ｎ（Ｎは自然数）の単位で任意に変更する出力タイミング変更手段を有するとともに、主走査方向及び副走査方向に関して前記記録媒体を複数の領域に分割し、分割された各領域毎に、任意のビームについて同期信号の入力タイミングに対するビデオクロック信号の出力タイミングを変更してテストパターンを形成するテストパターン形成手段を備えたことを特徴とする。
【００１１】
また、主走査方向及び副走査方向において前記感光体を複数の領域に分割し、分割された各領域毎に同一構成のテストパターン画像を形成することを特徴とする。
【００１２】
また、印刷されたテストパターンによって決定されるビデオクロック信号の出力タイミングの最適値に合わせて、印刷時に同期信号の入力タイミングに対するビデオクロック信号の出力タイミングを調整するタイミング調整手段を備えたことを特徴とする。
【００１３】
さらに、画像データで変調した複数ビームを感光体上に主走査方向へ走査して潜像を形成し記録媒体へ画像を形成する画像形成装置において、感光体の走査開始側に設けられ前記複数ビームを検知して同期信号を出力するビームディテクタと、前記同期信号を基準として画像データを伝送するビデオクロック信号生成手段を備え、同期信号の入力タイミングに対するビデオクロック信号の出力タイミングをビデオクロック信号周期の１／Ｎ（Ｎは自然数）単位で変更する出力タイミング変更手段を有する画像形成装置の画像形成方法において、主走査方向及び副走査方向において前記記録媒体を複数の領域に分割し、分割された各領域毎に、任意のビームについて同期信号の入力タイミングに対するビデオクロック信号の出力タイミングを変更してテストパターンを形成することを特徴とする。
【発明の効果】
【００１４】
本発明により、複数のビームを感光体上に主走査方向へ走査して画像を生成するレーザプリンタにおいて、システム固有の要因によるジッター調整のためのテストパターンを印刷する際に、主走査方向及び副走査方向に隣接させて異なるテストパターンを印刷することができるので、テストパターン間の比較が容易になり、また、全てのテストパターンの印刷に要する面積を少なくすることが可能となる。
【発明を実施するための最良の形態】
【００１５】
以下、本発明を図を用いて説明する。
【００１６】
図１は、本発明が適用されるプリンタ装置のシステム構成図である。プリンタ０１００は、実際に印刷を行うプリンタエンジン０１０１とネットワーク経由で印刷ジョブデータを受信して、プリンタエンジン０１０１で印刷可能な印刷画像データに変換してから転送するプリンタコントローラ０１０２及び、操作パネル０１０３から構成されている。
【００１７】
図２にプリンタコントローラ０１０２の構成を示す。プリンタコントローラ０１０２は、ＣＰＵ０２０１、メモリ０２０２がそれぞれＣＰＵバス０２０９、メモリバス０２１０を介してバスブリッジ０２０３に接続され、バスブリッジ０２０３は、汎用バス０２１１に接続されている。汎用バス０２１１には、外部とのインターフェース（以下Ｉ／Ｆ）であるネットワークに接続するネットワークＩ／Ｆ０２０４及びホストマシンと直接接続するローカルＩ／Ｆ０２０５、操作パネルと接続するパネルＩ／Ｆ０２０６、データ蓄積に用いるＨＤＤ０２０７、プリンタエンジンとのＩ／ＦであるエンジンＩ／Ｆ０２０８が接続されている。
【００１８】
プリンタコントローラ０１０１は、ネットワークＩ／Ｆ０２０４及びローカルＩ／Ｆ０２０５を介して外部より印刷データを受信し、印刷データの内容に従ってＣＰＵ０２０１によりラスタライズ処理が行われ、メモリ０２０２上に内部画像データを生成する。生成された内部画像データは、一旦ＨＤＤ０２０７に転送・蓄積され、その後エンジンＩ／Ｆ０２０８に転送される。
【００１９】
図３に、プリンタエンジン０１０１の構成を示す。レーザ制御装置０４０１はプリンタコントローラ０１０２より出力される印刷信号ＶＩＤＥＯ１、ＶＩＤＥＯ２、ＶＩＤＥＯ３、ＶＩＤＥＯ４に基づいて、レーザダイオード０４０２を制御し、レーザを発光させビームを出力する。レーザダイオード０４０２は、複数の発光部を有し、各々印刷信号ＶＩＤＥＯ１、ＶＩＤＥＯ２、ＶＩＤＥＯ３、ＶＩＤＥＯ４により互いに独立にレーザの発光を行う。
【００２０】
レンズ０４０３はレーザダイオード０４０２より出力されたビームの感光体０４０８上でのスポット径を絞るレンズである。ミラー０４０４は、レーザダイオード０４０２より出力されたビームをビームディテクタ０４０７及び感光体０４０８上に走査させる回転ポリゴンミラーである。レンズ０４０５はミラー０４０４で反射されたビームが感光体上を走査する際の経路長の違いによる焦点距離の違いの補正を行うｆθレンズである。ミラー０４０６はポリゴンミラー０４０４によって反射されたビームをさらに反射させて感光体０４０８上を走査させる。ビームディテクタ０４０７は、ビームの受光を検知してレーザ制御装置０４０１に伝えるセンサである。
【００２１】
図４にエンジンＩ／Ｆ０２０８、図５にＶＣＬＫ生成部０３０４の構成を示す。図４においてバス制御部０３０１は、汎用バス０２１１とエンジンＩ／Ｆ０２０８内部とのＩ／Ｆであり、読み出し制御部０３０２、Ｉ／Ｏ制御部０３０５のアクセス要求の場合は汎用バス０２１１の制御を行い、汎用バス０２１１側からのアクセス要求の場合は汎用バス０２１１側より制御される。読み出し制御部０３０２は、画像データバッファ０３０３のデータ格納状況を確認し、バス制御部０３０１に対してＨＤＤ０２０７に蓄積されている画像データの読み出し要求を行い、送られてきた画像データを画像データバッファ０３０３へ転送する。発振器０３０７はビデオクロック信号周波数のＮ／２倍（Nは整数）の周波数のクロック信号をＶＣＬＫ生成部０３０４へ出力する。
【００２２】
本実施例では、Ｎ＝６とし、３倍の周波数のクロック信号（Ｎ／２＝３）をＣＬＫ３Ｘとする。図５において、ビデオクロック信号生成手段であるＶＣＬＫ生成部０３０４は発振器０３０７から入力されるクロック信号ＣＬＫ３Ｘと、プリンタエンジン０１０１からの同期信号ＳＹＮＣとに基づいてビデオクロック信号ＶＣＬＫを生成し、画像データバッファ０３０３へ出力する。このとき、同期信号ＳＹＮＣは、走査を行うビーム数に相当したパルスを出力し、ビデオクロック信号は、走査を行うビーム数の信号を出力する。本実施例では、走査を行うビーム数を４とし、ビデオクロック信号は、それぞれＶＣＬＫ１、ＶＣＬＫ２、ＶＣＬＫ３、ＶＣＬＫ４とする。画像データバッファ０３０３は、送られてきた画像データを内部のバッファに格納し、読み出し制御部０３０２からＶＣＬＫ生成部０３０４が出力するビデオクロック信号に同期し、画像データを印刷信号としてプリンタエンジン０１０１へ出力する。このときの印刷信号を、ＶＩＤＥＯ１、ＶＩＤＥＯ２、ＶＩＤＥＯ３、ＶＩＤＥＯ４とする。エンジンＩ／Ｆ部０３０６は、プリンタエンジン０１０１と通信を行い、プリンタエンジン０１０１のステータス情報を取得する。Ｉ／Ｏ制御部０３０５は、エンジンのステータス情報や、各部の設定情報を保持し、必要に応じてバス制御部０３０１アクセス要求を行う。
【００２３】
図６にクロック制御部０５０１における信号の動作を示す。クロック制御部０５０１は図５に示すように、クロック信号ＣＬＫ３Ｘに基づいて、同じ周波数の信号ＣＬＫ３ＸＡと、１８０°位相の遅れた信号ＣＬＫ３ＸＢを出力して、ＶＣＬＫ１生成部０５０３、ＶＣＬＫ２生成部０５０４、ＶＣＬＫ３生成部０５０５、ＶＣＬＫ４生成部０５０６に出力する。
【００２４】
図７にビームディテクタ０４０７上をビームが走査する際の様子を示す。図７に示すように、ビーム１からビーム４は、ビームディテクタ０４０７上をビーム１、ビーム２、ビーム３、ビーム４の順番で通過し、通過の際に、ビームディテクタ０４０７はレーザ制御装置０４０１を経由して同期信号ＳＹＮＣを出力する。
【００２５】
図８に、ＶＣＬＫ生成部０３０４の同期信号分離部０５０２における信号の動作を示す。同期信号ＳＹＮＣは４パルスの信号となり、同期信号分離部０５０２はこれら４パルスの信号を、入力順序に従って１パルスずつの信号ＳＹＮＣ１、ＳＹＮＣ２、ＳＹＮＣ３、ＳＹＮＣ４に分離して、図５に示すようにそれぞれ、ＶＣＬＫ１生成部０５０３、ＶＣＬＫ２生成部０５０４、ＶＣＬＫ３生成部０５０５、ＶＣＬＫ４生成部０５０６に出力する。
【００２６】
図９にＶＣＬＫ１生成部０５０３の構成を示す。クロック生成部Ａ０７０１は、分周クロック生成部０７０３、クロック制御部０７０４、クロック選択部０７０５から構成されている。クロック生成部Ｂ０７０２は、クロック生成部Ａ０７０１と入力信号が異なるだけで内部は同様の構成となっている。信号”ＤＡＴＡ”と信号”ＣＬＫＳＴＯＰＡ”は、図５の信号ＣＴＲＬの一部である。また、入力信号ＳＹＮＣは、図５のＳＹＮＣ１である。
【００２７】
図１０及び図１１にＶＣＬＫ１生成部０５０３における信号の動作を示す。これらの構成及び動作はＶＣＬＫ２生成部０５０４、ＶＣＬＫ３生成部０５０５、ＶＣＬＫ４生成部０５０６も同様である。
【００２８】
出力タイミング変更手段としての分周クロック生成部０７０３は、同期信号ＳＹＮＣが”Ｈ”になった際に、クロック信号ＣＬＫ３ＸＡの立ち上がりで、クロック１周期分の信号ＳＹＮＣＡを生成する。また、同じタイミングで、信号ＳＹＮＣＢＥＮが”Ｌ”の場合には信号ＳＹＮＣＡＥＮを”Ｈ”にし、そのラスタの終了まで保持し、ラスタ終了時に”Ｌ”にする。信号ＳＹＮＣＢＥＮが”Ｈ”の場合には、信号ＳＹＮＣＡＥＮは”Ｌ”のままとする。
【００２９】
同様に、同期信号ＳＹＮＣが”Ｈ”になった際に、クロック信号ＣＬＫ３ＸＢの立ち上がりで、クロック１周期分の信号ＳＹＮＣＢを生成し、同時に信号ＳＹＮＣＡＥＮが”Ｌ”の場合には信号ＳＹＮＣＢＥＮを”Ｈ”にし、そのラスタの終了まで保持し、ラスタ終了時に”Ｌ”にする。信号ＳＹＮＣＡＥＮが”Ｈ”の場合には、信号ＳＹＮＣＢＥＮは”Ｌ”のままとする。図１０では、信号ＳＹＮＣＢＥＮが”Ｈ”となる場合の動作を示している。
【００３０】
信号ＣＬＫＡ０は、信号ＳＹＮＣＡが”Ｈ”になったタイミングの次のクロック信号ＣＬＫ３ＸＡの立ち上がりで、クロック信号ＣＬＫ３ＸＡの１周期分”Ｈ”とし、次のクロック２周期分”Ｌ”とし、この動作をそのラスタの終了まで繰り返す。信号ＣＬＫＡ１は、信号ＣＬＫＡ０よりもクロック信号ＣＬＫ３ＸＡの１周期分遅延した信号である。信号ＣＬＫＡ２は、信号ＣＬＫＡ１よりもクロック信号ＣＬＫ３ＸＡの１周期分遅延した信号である。同様に、クロック生成部Ｂ０７０２において、信号ＣＬＫＢ０は、信号ＣＬＫＡ０同様に、信号ＳＹＮＣＢが”Ｈ”になったタイミングの次のクロック信号ＣＬＫ３ＸＢの立ち上がりで、クロック信号ＣＬＫ３ＸＢの１周期分”Ｈ”とし、次のクロック２周期分”Ｌ”とし、この動作をそのラスタの終了まで繰り返す。信号ＣＬＫＢ１は、信号ＣＬＫＢ０よりもクロック信号ＣＬＫ３ＸＢの１周期分遅延した信号である。信号ＣＬＫＢ２は、信号ＣＬＫＢ１よりもクロック信号ＣＬＫ３ＸＢの１周期分遅延した信号である。こうすることにより、クロック生成部Ａ０７０１、クロック生成部Ｂ０７０２は同期信号ＳＹＮＣに対して、出力するクロック信号の位相が１／３クロック周期ずつずれた信号を３種類ずつ生成し、合計で出力するクロック信号の位相が１／６クロック周期ずつずれた信号を６種類生成することになる。
【００３１】
図９において、クロック制御部０７０４は、ＣＬＫ３ＸＡによってＣＬＫＡ０をカウントし、予め設定された数に達したらラスタ終了として、信号ＲＡＳＥＮＤＡをＣＬＫ３ＸＡの１周期分”Ｈ”とする。この信号ＲＡＳＥＮＤＡにより、次にＳＹＮＣ信号が”Ｈ”になるまで、ＣＬＫＡ０、ＣＬＫＡ１、ＣＬＫＡ２を”Ｌ”とする。
【００３２】
信号ＣＬＫＥＮＢＡは、テストモード以外の場合は、常に”Ｈ”となり、テストモードの場合は、図１１に示すようにＣＬＫ３ＸＡによってＣＬＫ０をカウントし、予め設定された数に達したら図１４に示すようなテストモードの主走査方向の一つの領域の終了として、一定の期間ＣＬＫＥＮＢＡを”Ｌ”にし、その期間はＣＬＫＳＴＯＰＡを”Ｈ”とし、これをラスタ終了まで繰り返す。
【００３３】
信号ＳＨＩＦＴは、０〜５の値をとり、同期信号ＳＹＮＣの入力からクロック信号ＶＣＬＫ１の出力までのタイミングを変化させるシステム固有のジッタ要因補正のための信号であり、Ｉ／Ｏ制御部０３０５に保持されている。テストモードにおいては、テストパターン形成手段、タイミング調整手段としてのＩ／Ｏ制御部０３０５は、ＣＬＫＡＳＴＯＰが”Ｈ”の期間内（非印刷期間）に、ＳＨＩＦＴ信号の値を変更する。通常モードの場合は、印刷中は設定された値のまま変化させない。
【００３４】
クロック選択部０７０５は、ＣＬＫＥＮＢＡが”Ｈ”のときに、ＳＹＮＣＡＥＮとＳＨＩＦＴ信号の値に応じてＣＬＫＡ０、ＣＬＫＡ１、ＣＬＫＡ２のいずれか、またはいずれも選択せず”Ｌ”を出力し、また、ＣＬＫＳＥＬＡは、ＣＬＫＥＮＢＡの値に関係なく、ＳＹＮＣＡＥＮとＳＨＩＦＴ信号の値に応じてＣＬＫ０、ＣＬＫ１、ＣＬＫ２のいずれかが選択される場合には、”Ｈ”を出力する。
【００３５】
クロックバッファ０７０６は、ＣＬＫＳＥＬＡの値により、ＣＬＫＡとＣＬＫＢのどちらか一方を選択し、信号ＶＣＬＫ１として画像データバッファ０３０３へ出力する。信号ＳＨＩＦＴ、ＳＹＮＣＡＥＮ、ＳＹＮＣＢＥＮと信号ＣＬＫＡ０、ＣＬＫＡ１、ＣＬＫＡ２、ＣＬＫＢ０、ＣＬＫＢ１、ＣＬＫＢ２、ディレイ調整値の対応関係を図１２に示す。
【００３６】
図１３に画像データバッファ０３０３の構成を示す。アクセス制御部０６０１は、ＦＩＦＯ１（０６０２）、ＦＩＦＯ２（０６０３）、ＦＩＦＯ３（０６０４）、ＦＩＦＯ４（０６０５）それぞれの状態を確認し、データ受け入れ可能であれば、その旨をＳＴＡＴＵＳ信号としてＩ／Ｏ制御部０３０５へ通知する。その後、読み出し制御部０３０２から画像データが送られてきた際には、その画像データを１ラスタ分づつＦＩＦＯ１、ＦＩＦＯ２、ＦＩＦＯ３、ＦＩＦＯ４へ振り分ける。このときラスタ４ｎ（ｎは自然数）のデータはＦＩＦＯ１、ラスタ４ｎ＋１のデータはＦＩＦＯ２、ラスタ４ｎ＋２のデータはＦＩＦＯ３、ラスタ４ｎ＋３のデータはＦＩＦＯ４へ振り分ける。１ラスタのサイズは、Ｉ／Ｏ制御部０３０５に保持されており、ＣＯＮＴＲＯＬ信号に含まれる。また、ＦＩＦＯ１、ＦＩＦＯ２、ＦＩＦＯ３、ＦＩＦＯ４への書き込みはクロック信号ＳＹＳＣＬＫに同期して行われる。ＦＩＦＯ１、ＦＩＦＯ２、ＦＩＦＯ３、ＦＩＦＯ４へ画像データがある程度蓄積されたら、その旨をＳＴＡＴＵＳ信号としてＩ／Ｏ制御部０３０５へ通知する。その後、ＦＩＦＯ１、ＦＩＦＯ２、ＦＩＦＯ３、ＦＩＦＯ４は、それぞれクロック信号ＶＣＬＫ１、ＶＣＬＫ２、ＶＣＬＫ３、ＶＣＬＫ４に同期して、蓄積された画像データを印刷信号ＶＩＤＥＯ１、ＶＩＤＥＯ２、ＶＩＤＥＯ３、ＶＩＤＥＯ４として、ラスタ毎に指定された数だけプリンタエンジン０１０１のレーザ制御装置０４０１へ出力する。
【００３７】
図１４は、本発明が適用されるプリンタ装置をテストモードで動作させた場合の印刷結果の模式図である。テストモードの場合は、印刷可能領域を矩形領域に分割し、それぞれの領域において、それぞれ異なるビデオクロック信号出力タイミングで同じテストパターンを印刷する。ここでは、図１４に示す”領域００００”は、ビーム１のディレイ値０、ビーム２のディレイ値０、ビーム３のディレイ値０、ビーム４のディレイ値０、であり、”領域０３０３”はビーム１のディレイ値０、ビーム２のディレイ値３、ビーム３のディレイ値０、ビーム４のディレイ値３とする。このようにして、各ビームのディレイ値を異なる設定にして同一のテストパターンを印刷して、視覚的にもっともズレが少ないテストパターンを選択し、そのテストパターンの各ビームのディレイ値を最適値としてフィードバックし、通常モードの印刷を行う。
【００３８】
このようにして、本実施例においては、印刷を行う際のビデオクロック信号のＮ／２逓倍周期のクロックを用いて印刷を行う際のビデオクロック信号を１／Ｎ画素の精度で同期をとることが可能であり、また、ビデオ信号出力以降のシステム固有のジッタ要因も、１／Ｎ画素の単位で補正することが可能となる。また、この補正値は、画質調整時には、印刷中に適宜値を変化させることにより、画質調整時のテストパターン印刷の際に、１度の印刷で多数の設定のテストパターンの印刷を行うことが可能となり、テストパターンの評価をより容易にする。
【００３９】
本発明により、１画素以下の同期精度のビデオクロック信号の生成、ビデオ信号出力以降のシステム固有のジッタ要因の補正手段、及び補正のためのテストパターンの印刷手段を実現する。
【図面の簡単な説明】
【００４０】
【図１】本発明画像形成装置のブロック図である。
【図２】本発明のプリンタコントローラのブロック図である。
【図３】プリンタエンジンの画像形成部を示す模式図である。
【図４】プリンタコントローラのエンジンＩ／Ｆ部を示す図である。
【図５】エンジンＩ／Ｆ部のＶＣＬＫ生成部の構成を示すブロック図である。
【図６】信号ＣＬＫ３ＸとＣＬＫ３ＸＡ、３ＸＢの関係を示すタイムチャートである。
【図７】ビームの走査と信号ＳＹＮＣの関係を示す模式図である。
【図８】ＶＣＬＫ生成部のクロック制御部での信号動作を示すタイムチャートである。
【図９】ＶＣＬＫ１生成部の構成を示す模式図である。
【図１０】ＶＣＬＫ１生成部での信号動作を示すタイムチャートである。
【図１１】ＶＣＬＫ１生成部での信号動作を示すタイムチャートである。
【図１２】ＶＣＬＫ１生成部での信号の相互関係を示す図である。
【図１３】エンジンＩ／Ｆ部の画像データバッファの構成を示すブロック図である。
【図１４】テストモードでの印刷領域の模式図である。
【図１５】ジッターが発生していない印刷画像の模式図である。
【図１６】ジッターが発生した印刷画像の模式図である。
【符号の説明】
【００４１】
０１００  プリンタ
０１０１  プリンタエンジン
０１０２  プリンタコントローラ
０３０２  読み出し制御部
０３０３  画像データバッファ
０３０４  ＶＣＬＫ生成部
０３０７  発振器
０４０１  レーザ制御装置
０４０２  レーザダイオード
０４０７  ビームディテクタ
０４０８  感光体
０５０１  クロック制御部
０５０２  同期信号分離部
０５０３  ＶＣＬＫ１生成部
０５０４  ＶＣＬＫ２生成部
０５０５  ＶＣＬＫ３生成部
０５０６  ＶＣＬＫ４生成部
０６０１  アクセス制御部
０７０１  クロック生成部Ａ
０７０２  クロック生成部Ｂ
０７０３  分周クロック生成部
０７０４  クロック制御部
０７０５  クロック選択部
【図１】
2008126566.tif 000003
【図２】
2008126566.tif 000004
【図３】
2008126566.tif 000005
【図４】
2008126566.tif 000006
【図５】
2008126566.tif 000007
【図６】
2008126566.tif 000008
【図７】
2008126566.tif 000009
【図８】
2008126566.tif 000010
【図９】
2008126566.tif 000011
【図１０】
2008126566.tif 000012
【図１１】
2008126566.tif 000013
【図１２】
2008126566.tif 000014
【図１３】
2008126566.tif 000015
【図１４】
2008126566.tif 000016
【図１５】
2008126566.tif 000017
【図１６】
2008126566.tif 000018